(57)【要約】【課題】複数の蓋部材の開閉動作を連動させることによって、使用に際して使用者の手数を軽減し、使用勝手のよい化粧品容器を提供すること。【解決手段】容器本体１と、この容器本体１に可動に設けたられた対をなす蓋部材２、３とからなり、対をなす蓋部材２、３の開閉動作を連動させる連動機構として、対をなす蓋部材２、３に、互いに噛合する歯車２２、３２を形成し、対をなす蓋部材２、３を支軸２１、３１を中心にして揺動動作をするようにし、対をなす蓋部材２、３の一方の蓋部材２を開閉することによって、他方の蓋部材３が連動して開閉するようにする。【選択図】図１
2018000674.tif 000002
【特許請求の範囲】
【請求項１】
容器本体と、該容器本体に可動に設けたられた対をなす蓋部材とからなる化粧品容器において、前記対をなす蓋部材の開閉動作を連動させる連動機構を備え、対をなす蓋部材の一方の蓋部材を開閉することによって、他方の蓋部材が連動して開閉するようにしたことを特徴とする化粧品容器。
【請求項２】
前記連動機構が、対をなす蓋部材に形成し、互いに噛合する歯車からなり、対をなす蓋部材が揺動動作をすることを特徴とする請求項１に記載の化粧品容器。
【請求項３】
前記連動機構が、対をなす蓋部材に形成した歯車と、該歯車に噛合するピニオンギアとからなり、対をなす蓋部材が直線動作をすることを特徴とする請求項１に記載の化粧品容器。
【発明の詳細な説明】
【技術分野】
【０００１】
本発明は、化粧品容器に関し、特に、複数の蓋部材を備えた化粧品容器に関するものである。
【背景技術】
【０００２】
従来、化粧品容器、例えば、コンパクトにおいては、デザイン性や多様性を高めることを目的として、複数の蓋部材を備えたものが提案され、実用化されている（例えば、特許文献１〜２参照。）。
【先行技術文献】
【特許文献】
【０００３】
【特許文献１】実開昭４８−３２３００号公報
【特許文献２】実開昭６２−１８９０１２号公報
【発明の概要】
【発明が解決しようとする課題】
【０００４】
ところで、従来の複数の蓋部材を備えた化粧品容器は、複数の蓋部材の開閉操作をそれぞれ単独で行う必要があるため、使用に際して手数を要するという問題があった。
なお、特許文献２に記載のものは、蓋部材の開操作については、２つの蓋部材が連動するようにしているが、蓋部材を完全に開操作できるものではなく、また、閉操作はそれぞれ単独で、かつ、順序立てて行う必要があるため、使用に際して手数を要するという問題を完全に解消できるものではなかった。
【０００５】
本発明は、上記従来の複数の蓋部材を備えた化粧品容器の有する問題点に鑑み、複数の蓋部材の開閉動作を連動させることによって、使用に際して使用者の手数を軽減し、使用勝手のよい化粧品容器を提供することを目的とする。
【課題を解決するための手段】
【０００６】
上記目的を達成するため、本発明の化粧品容器は、容器本体と、該容器本体に可動に設けたられた対をなす蓋部材とからなる化粧品容器において、前記対をなす蓋部材の開閉動作を連動させる連動機構を備え、対をなす蓋部材の一方の蓋部材を開閉することによって、他方の蓋部材が連動して開閉するようにしたことを特徴とする。
【０００７】
この場合において、前記連動機構が、対をなす蓋部材に形成し、互いに噛合する歯車からなり、対をなす蓋部材が揺動動作をするようにすることができる。
【０００８】
また、前記連動機構が、対をなす蓋部材に形成した歯車と、該歯車に噛合するピニオンギアとからなり、対をなす蓋部材が直線動作をするようにすることができる。
【発明の効果】
【０００９】
本発明の化粧品容器によれば、対をなす蓋部材の開閉動作を連動させる連動機構を備え、対をなす蓋部材の一方の蓋部材を開閉することによって、他方の蓋部材が連動して開閉するようにすることによって、デザイン性や多様性を高めるために複数の蓋部材を備えたコンパクト等の化粧品容器を使用するに際しての使用者の手数を軽減し、使用勝手のよい化粧品容器を提供することができる。
【００１０】
また、前記連動機構が、対をなす蓋部材に形成し、互いに噛合する歯車からなり、対をなす蓋部材が揺動動作をするようにすることにより、連動機構の構造を簡略化することができる。
【００１１】
また、前記連動機構が、対をなす蓋部材に形成した歯車と、該歯車に噛合するピニオンギアとからなり、対をなす蓋部材が直線動作をするようにすることにより、矩形形状の化粧品容器に対応することができる。
【図面の簡単な説明】
【００１２】
【図１】本発明の化粧品容器の第１実施例を示し、（ａ）は平面図、（ｂ）は正面図、（ｃ）は側面図、（ｄ）は（ａ）のＡ−Ａ断面図である。
【図２】同化粧品容器の蓋部材を開動作させた状態を示し、（ａ）は平面図、（ｂ）は要部の拡大図である。
【図３】本発明の化粧品容器の第２実施例を示し、（ａ）は平面図、（ｂ）は正面図、（ｃ）は側面図である。
【図４】同化粧品容器の蓋部材を開動作させた状態を示し、（ａ）は平面図、（ｂ）は要部の拡大図である。
【図５】本発明の化粧品容器の第３実施例を示し、（ａ）は平面図、（ｂ）は正面図、（ｃ）は側面図である。
【図６】同化粧品容器の蓋部材を開動作させた状態を示す平面図である。
【発明を実施するための形態】
【００１３】
以下、本発明の化粧品容器の実施の形態を、図面に基づいて説明する。
【実施例１】
【００１４】
図１〜図２に、本発明の化粧品容器の第１実施例を示す。
この化粧品容器は、容器本体１と、この容器本体１に可動に設けたられた対をなす蓋部材２、３とからなり、対をなす蓋部材２、３の開閉動作を連動させる連動機構として、対をなす蓋部材２、３の外周部又は中間部に、互いに噛合する歯車２２、３２を形成し、対をなす蓋部材２、３を支軸２１、３１を中心にして揺動動作をするようにし、対をなす蓋部材２、３の一方の蓋部材２を開閉することによって、他方の蓋部材３が連動して開閉するようにしている。
【００１５】
ところで、本実施例の化粧品容器においては、蓋部材２、３の一方の蓋部材２の端面を押し操作することで蓋部材２の開閉動作を行わせ、これによって、他方の蓋部材３が連動して開閉するようにしているが、蓋部材２の表面に触れて揺動操作することで蓋部材２の開閉動作を行わせてもよい。
【００１６】
また、同様に、他方の蓋部材３の端面を押し操作したり、蓋部材３の表面に触れて揺動操作することで蓋部材３の開閉動作を行わせ、これによって、一方の蓋部材２が連動して開閉するようにしている。
【００１７】
蓋部材２、３に形成した歯車２２、３２は、容器本体１に形成した溝１２、１３内に配置され、溝１２、１３内を移動するようにする。
【００１８】
その際、歯車２２、３２の底面に形成した突起２３、３３が、容器本体１に形成した溝１２、１３の底表面に当接することによって、摺動抵抗を小さくしながら、容器本体１と蓋部材３との間及び蓋部材２と蓋部材３との間に微小な隙間ｄが維持されるようにして、蓋部材２、３の開閉動作によって、容器本体１や蓋部材２、３に傷が付かないようにしている。
【００１９】
また、容器本体１に形成した溝１２には、適宜位置にストッパ１４、１５を形成して、蓋部材２の開閉の動作範囲を規制するようにしている。
なお、ストッパは、蓋部材３の開閉の動作範囲を規制するように設けることもできる。
ここで、蓋部材２、３の開閉の動作範囲は、本実施例においては、いずれも約９０°としたが、化粧品容器の形状等に応じて、歯車２２、３２の形状、ストッパ１４、１５の形成位置等を設定することによって、それぞれ任意の角度に設定することができる。
【００２０】
この化粧品容器によれば、対をなす蓋部材２、３の開閉動作を連動させる連動機構としての歯車２２、３２を備え、対をなす蓋部材２、３の一方の蓋部材２（又は一方の蓋部材３）を開閉することによって、他方の蓋部材３（又は一方の蓋部材２）が連動して開閉するようにすることによって、容器本体１に備えたミラー１１ａ、化粧品１１ｂ、塗布具１１ｃ等のために、デザイン性や多様性を高めるために２つの蓋部材２、３を備えたコンパクト等の化粧品容器を使用するに際しての使用者の手数を軽減し、使用勝手のよい化粧品容器を提供することができる。
【実施例２】
【００２１】
図３〜図４に、本発明の化粧品容器の第２実施例を示す。
この化粧品容器は、容器本体１と、この容器本体１に可動に設けたられた対をなす蓋部材２、３とからなり、対をなす蓋部材２、３の開閉動作を連動させる連動機構として、対をなす蓋部材２、３の支軸２１、３１の外周部に、互いに噛合する歯車２２、３２を形成し、対をなす蓋部材２、３を支軸２１、３１を中心にして揺動動作をするようにし、対をなす蓋部材２、３の一方の蓋部材２を開閉することによって、他方の蓋部材３が連動して開閉するようにしている。
【００２２】
また、蓋部材３の支軸３１には、蓋部材２の支軸２１に当接して蓋部材３の開閉の動作範囲を規制するストッパ３４を形成するようにしている。
なお、ストッパは、蓋部材２の開閉の動作範囲を規制するように設けることもできる。
ここで、蓋部材２、３の開閉の動作範囲は、本実施例においては、いずれも４５°よりやや大きくしたが、化粧品容器の形状等に応じて、歯車２２、３２の形状、ストッパ１４、１５の形成位置等を設定することによって、それぞれ任意の角度に設定することができる。
【００２３】
なお、本実施例の化粧品容器のその他の構成及び作用は、上記第１実施例の化粧品容器と同様である。
【実施例３】
【００２４】
図５〜図６に、本発明の化粧品容器の第３実施例を示す。
この化粧品容器は、容器本体１と、この容器本体１に可動に設けたられた対をなす蓋部材２、３とからなり、対をなす蓋部材２、３の開閉動作を連動させる連動機構として、対をなす蓋部材２、３の対向する側縁にラック状の歯車２２、３２を形成するとともに、この歯車２２、３２に噛合するピニオンギア４１、４２を配設し、２つのピニオンギア４１、４２をタイミングベルト等の連動部材（図示省略）で連結し、対をなす蓋部材２、３が直線動作をするようにし、対をなす蓋部材２、３の一方の蓋部材２を開閉することによって、他方の蓋部材３が連動して開閉するようにしている。
【００２５】
蓋部材２、３は、蓋部材２、３の裏面に形成したガイドピン２５、３５を、容器本体１に形成した溝１６、１７によってガイドすることによって、溝１６、１７に沿って移動するようにする。
【００２６】
ところで、本実施例においては、２つのピニオンギア４１、４２をタイミングベルト等の連動部材（図示省略）で連結するようにしたが、１つのピニオンギアを蓋部材２、３の動作方向の中間位置に配設するようにすることもできる。
【００２７】
この化粧品容器によれば、対をなす蓋部材２、３が直線動作をするようにすることにより、矩形形状の化粧品容器に対応することができる。
【００２８】
なお、本実施例の化粧品容器のその他の構成及び作用は、上記第１実施例の化粧品容器と同様である。
【００２９】
以上、本発明の化粧品容器について、複数の実施例に基づいて説明したが、本発明は上記実施例に記載した構成に限定されるものではなく、その趣旨を逸脱しない範囲において適宜その構成を変更することができるものである。
例えば、上記実施例においては、対をなす蓋部材２、３として、１組、２つの蓋部材２、３を備えた化粧品容器を例に挙げて説明したが、例えば、２組、４つの蓋部材を備えるようにすることもできる。
【産業上の利用可能性】
【００３０】
本発明の化粧品容器は、複数の蓋部材の開閉動作を連動させることによって、使用に際して使用者の手数を軽減し、使用勝手のよい化粧品容器を提供することができることから、デザイン性や多様性を高めるために複数の蓋部材を備えたコンパクト等の化粧品容器の用途に好適に用いることができる。
【符号の説明】
【００３１】
１  容器本体
１２、１３  溝
１４、１５  ストッパ
１６、１７  溝
２  蓋部材
２１  支軸
２２  歯車（連動機構）
２３  突起
２５  ガイドピン
３  蓋部材
３１  支軸
３２  歯車（連動機構）
３３  突起
３４  ストッパ
３５  ガイドピン
４１、４２  ピニオンギア（連動機構）
【図１】
2018000674.tif 000003
【図２】
2018000674.tif 000004
【図３】
2018000674.tif 000005
【図４】
2018000674.tif 000006
【図５】
2018000674.tif 000007
【図６】
2018000674.tif 000008